(57)【要約】【課題】  本発明の目的は、ブロードキャスト・フレームやマルチキャスト・フレームなどの確認応答不要フレームを好適に送信することができる、優れた無線通信装置及び無線通信方法を提供することにある。【解決手段】  本発明は、受信側の無線端末との伝送路の品質を示す無線伝送路情報を取得し、無線伝送路情報により最も品質の悪い受信側の無線端末を対象端末として選定し、その対象端末に、確認応答不要のフレームの受信に対して受信確認フレームを返信させる設定を行い、確認応答不要のフレームを送信後にその対象端末より受信確認フレームを受信しなかった場合には同一のフレームを再送信するようにする。【選択図】      図７
2006014103.tif 000002
【特許請求の範囲】
【請求項１】
受信側の無線端末に対して確認応答不要のフレームを送信するフレーム送信手段と、
受信側の無線端末との伝送路の品質を示す無線伝送路情報を取得する無線伝送路情報取得手段と、
前記無線伝送路情報により最も品質の悪い受信側の無線端末を対象端末として選定する対象端末選定手段と、
前記対象端末に、前記確認応答不要のフレームの受信に対して受信確認フレームを返信させる設定を行う確認応答設定手段と、
前記確認応答不要のフレームを送信後、前記対象端末より受信確認フレームを受信しなかった場合に同一のフレームを再送信する再送信制御手段と、
を備えたことを特徴とする無線通信装置。
【請求項２】
前記対象端末設定手段は、前記無線伝送路情報が所定の品質以上であると判断した場合には対象端末を特定せず、前記確認応答設定しないことを特徴とする請求項１記載の無線通信装置。
【請求項３】
請求項２記載の無線通信装置において、受信側の無線端末との間で上位層による所定のアプリケーションを使用しているか否かを検出する手段をさらに備え、前記対象端末選定手段は、前記無線伝送路情報が所定の品質以上であると判断した場合でも、前記所定のアプリケーションが使用されているときには前記対象端末を選定するようにしたことを特徴とする無線通信装置。
【請求項４】
前記確認応答不要のフレームは、マルチキャストフレーム或いはブロードキャストフレームであることを特徴とする請求項１乃至３に記載の無線通信装置。
【請求項５】
前記無線伝送路情報は、受信側の無線端末との伝送路における受信電波強度であることを特徴とする請求項１乃至３に記載の無線通信装置。
【請求項６】
前記対象端末に、前記確認応答不要のフレームの受信に対して受信確認フレームを返信させる設定を解除させる確認応答解除手段をさらに備えたことを特徴とする請求項１乃至３に記載の無線通信装置。
【請求項７】
送信側の無線端末より確認応答要のフレームを受信した場合には受信確認フレームを前記送信側の無線端末に返信し、確認応答不要のフレームを受信した場合には受信確認フレームを返信しないフレーム受信制御手段と、
送信側の無線端末より、前記確認応答不要のフレームの受信に対して受信確認フレームを返信させる設定要求を受信した場合に、確認応答不要フレームの受信に対して受信確認フレームを返信するよう設定する確認応答設定手段と、
を備え、前記送信側の無線端末より確認応答不要のフレームを受信した場合に確認応答設定の有無を判断し、確認応答設定がされている場合には前記送信側の無線端末に対して受信確認フレームを返信するようにしたことを特徴とする無線通信装置。
【請求項８】
請求項７記載の無線通信端末において、前記送信側の無線端末よりの確認応答設定の解除要求を受信した場合、確認応答不要フレームの受信に対して受信確認フレームを返信する設定を解除する確認応答解除手段とを備えたことを特徴とする無線通信装置。
【請求項９】
前記確認応答不要のフレームは、マルチキャストフレーム或いはブロードキャストフレームであることを特徴とする請求項７または８に記載の無線通信装置。
【発明の詳細な説明】
【技術分野】
【０００１】
本発明は、無線通信技術に関し、特にアクセスポイント（ＡＰ）やステーション（端末）に備えられる無線通信制御装置およびその制御方法に関する。
【背景技術】
【０００２】
情報処理や情報通信などの技術の飛躍的な進歩とも相俟って、コンピュータどうしを相互接続するネットワーク・コンピューティング技術に対する要望も高まってきている。複数のコンピュータどうしを相互接続したＬＡＮ（Local Area Network）などのネットワーク環境下では、複数のユーザの間で、コンピュータ資源を共有したり、情報の共有・流通・配布・交換などの協働的作業を円滑に行うことができる。
【０００３】
最近では、電波や赤外線など、有線ケーブル以外の伝送路を利用した無線ＬＡＮの普及が進んでいる。この種の無線ＬＡＮによれば、オフィスなどの作業空間において、有線ケーブルの大半を省略することができるので、パーソナル・コンピュータ（ＰＣ）などの端末を比較的容易に移動させることができる。
【０００４】
一般に、例えば無線ＬＡＮのような複数の無線局が相互に通信を行う無線通信システムでは、送信側無線局はデータ・フレームを受信側無線局に送信し、該当する受信側無線局は正しく受信された場合には確認応答フレーム（ＡＣＫフレーム）を返信するようになっている。そして、送信側無線局は、確認応答フレームを調べて、必要に応じてデータ・フレームを再送するという処理を行う。このような再送制御は、例えば、ＯＳＩ（Open Systems Interconnection）基本参照モデルのデータリンク層のＭＡＣ（Medium Access Control）層で規定されている。
【０００５】
一方、通信が全無線局対応のブロードキャストや特定グループ対象のマルチキャストなど、送信先が複数の場合には、ＡＣＫフレームが衝突してしまう可能性があるため、ブロードキャストやマルチキャスト・データの場合には、ＭＡＣ層では、送信側無線局は、受信側無線局にフレームを送信するだけとし、フレームが正しく受信されたか否かは関知しないこととしている。また、受信側無線局は、送信側無線局からのフレームを正しく受信すればそのまま取り込むが、エラーを検出した場合にはそのフレームを破棄するだけとし、ＡＣＫフレームを送信側無線局に返送することはしない。
【０００６】
このため、受信側でデータを正しく受信することができないという問題が頻発する。このような問題を回避するため、従来、ブロードキャストやマルチキャスト・データでも送信側無線局は各受信側無線局と順番に個別通信を実施して、ＡＣＫフレームを使用して再送制御を行う方式が提案されている。しかしながら、この再送制御方式によれば、受信側無線局数に比例して時間遅延が増大してしまうという問題がある。
【０００７】
例えば、特開２００３−３７６０６には、ブロードキャスト・フレームやマルチキャスト・フレームなどの確認応答不要フレームを好適に送信する方法が提案されている。具体的には、伝送路の品質が良好で、受信側でデータを正しく受信することのできる確率が極めて高いような状況では、同一フレーム繰り返し送信回数を小さく設定することでスループットを高める一方、伝送路品質が劣悪で、受信側でデータを正しく受信することの出きる確率が極めて低いような状況では同一フレーム繰り返し送信回数を大きく設定することにより高品質の通信を保つことができる。
【０００８】
【特許文献１】特開２００３−３７６０６
【発明の開示】
【発明が解決しようとする課題】
【０００９】
しかしながら、特許文献１にに記載の通信方式によれば、同一フレームを複数回繰り返し送信することにより受信側でデータを正しく受信する確率を高めることができる反面、同一フレームを繰り返し送信するため、指定された回数は同一フレームを送信せねばならず、通信効率がよくない。
【００１０】
また、ブロードキャスト・データやマルチキャスト・データにおいても、上位通信プロトコル層のサービスによっては必ず正しく受信したいデータや、逆に正しく受信されなくても悪影響が少ないデータなど、データに優先度が存在する。このような場合でも、特許文献１に記載の通信方式では同一フレームを所定の回数繰り返し送信するため、データの優先度に応じた処理をすることができない。
【００１１】
そこで本発明の目的は、ブロードキャスト・フレームやマルチキャスト・フレームなどの確認応答不要フレームを好適に送信することができる、優れた無線通信装置及び無線通信方法を提供することにある。
【課題を解決するための手段】
【００１２】
上記目的を達成するために、請求項１に係る発明では、受信側の無線端末に対して確認応答不要のフレームを送信するフレーム送信手段と、受信側の無線端末との伝送路の品質を示す無線伝送路情報を取得する無線伝送路情報取得手段と、その無線伝送路情報により最も品質の悪い受信側の無線端末を対象端末として選定する対象端末選定手段と、対象端末に、確認応答不要のフレームの受信に対して受信確認フレームを返信させる設定を行う確認応答設定手段と、確認応答不要のフレームを送信後、対象端末より受信確認フレームを受信しなかった場合に同一のフレームを再送信する再送信制御手段と、を備えた無線通信装置を提供する。
【００１３】
また、請求項７に係る発明では、送信側の無線端末より確認応答要のフレームを受信した場合には受信確認フレームを前記送信側の無線端末に返信し、確認応答不要のフレームを受信した場合には受信確認フレームを返信しないフレーム受信制御手段と、送信側の無線端末より、確認応答不要のフレームの受信に対して受信確認フレームを返信させる設定要求を受信した場合に、確認応答不要フレームの受信に対して受信確認フレームを返信するよう設定する確認応答設定手段とを備え、前記送信側の無線端末より確認応答不要のフレームを受信した場合に確認応答設定の有無を判断し、確認応答設定がされている場合には前記送信側の無線端末に対して受信確認フレームを返信するようにした無線通信装置を提供する。
【発明の効果】
【００１４】
本発明によれば、ブロードキャスト・フレームやマルチキャスト・フレームなどの確認応答不要フレームを好適に送信する優れた無線通信装置及び無線通信方法を提供することができる。
【発明を実施するための最良の形態】
【００１５】
以下に本発明の無線通信システムの第一の実施形態について図面に基づいて説明する。
図１に無線ネットワークの一形態であるインフラモードの例を示す。無線制御局（以下ＡＰ：アクセスポイント）１０１と無線端末（以下ＳＴＡ：ステーション）１０２，１０３，１０４から成り、ＡＰ１０１とＳＴＡ１０２〜１０４とで無線ゾーン１０５（以下ＢＳＳ：Ｂａｓｉｃ  Ｓｅｒｖｉｃｅ  Ｓｅｔ）を形成する。ＡＰ１０１はＳＴＡ１０２〜１０４と有線接続も可能で広域ネットワーク１０６（ＷＡＮ：Ｗｉｄｅ  Ａｒｅａ  Ｎｅｔｗｏｒｋ）に接続可能であり、各ＳＴＡ１０２〜１０４はＡＰ１０１を経由して無線通信伝送を行うようになっている。
【００１６】
図２に無線ネットワークの別形態であるアドホックモードの例を示す。ＳＴＡ２０１，２０２，２０３が無線ゾーン２０４（以下ＩＢＳＳ：Ｉｎｄｅｐｅｎｄｅｎｔ  Ｂａｓｉｃ  Ｓｅｒｖｉｃｅ  Ｓｅｔ）を形成する。各ＳＴＡ２０１，２０２，２０３は相互に接続し、無線通信伝送を行う。
【００１７】
図３は、第一の実施形態における無線通信システムのＡＰ１０１の機能ブロック図である。ＡＰ１０１は、データの送受信をするアンテナ３０１と、チャネル（周波数）選択及びＲＦ周波数とＩＦ周波数との変換を行う送受信部３０２と、信号の変復調、誤り検出・訂正等を行う変復調部３０３と、フレームバッファを持ち、確認応答設定プログラムに基づいてブロードキャスト・マルチキャストフレームに対する受信確認の要否を判断する送受信制御部３０６と、送受信部３０２より得られる電波受信強度を取得する電波受信強度測定部３０４と、送信フレームを受信確認応答の有無等に応じて再送するための制御を行う再送処理制御部３０５と、受信フレームのアドレス確認等のフレーム識別機能を有するＭＡＣ処理部３０７と、内部バス３０８と、確認応答設定プログラムやその設定データ等を記憶する内部メモリ３０９と、各制御機能ブロックを統括制御するためのノード制御部３１０と、上位層３１２とのデータ転送を行うための外部インターフェース３１１とを備えている。
【００１８】
図４は第一の実施形態における無線通信システムのＳＴＡ１０２，１０３，１０４，２０１，２０２，２０３の機能ブロック図である。基本的にはＡＰ１０１と同じ構成を有しており、各ＳＴＡは、データの送受信をするアンテナ３１３と、チャネル（周波数）選択及びＲＦ周波数とＩＦ周波数との変換を行う送受信部３１４と、信号の変復調、誤り検出・訂正等を行う変復調部３１５と、フレームバッファを持ち、確認応答設定プログラムに基づいてブロードキャスト・マルチキャストフレームに対する受信確認応答の要否を判断する送受信制御部３１８と、送受信部３１４より得られる電波受信強度を取得する電波受信強度測定部３１６と、送信フレームを必要に応じて再送するための制御を行う再送処理制御部３１７と、受信フレームのアドレス確認等のフレーム識別機能を有するＭＡＣ処理部３１９と、内部バス３２０と、確認応答設定プログラムやその設定データ等を記憶する内部メモリ３２１と、各制御機能ブロックを統括制御するためのノード制御部３２２と、上位層３２４とのデータ転送を行うための外部インターフェース３２３とを備えている。
【００１９】
確認応答設定プログラムとは、ブロードキャスト（ＢＣ）・マルチキャストフレーム（ＭＣ）を送信する側の端末（図１の無線ネットワークではＡＰ１０１、図２の無線ネットワークではＳＴＡ２０１，２０２，２０３のいずれか）と、ブロードキャスト・マルチキャストフレームを受信する端末（図１ではＳＴＡ１０２，１０３，１０４のいずれか）との間で実行されるもので、ブロードキャスト・マルチキャストフレームを受信した端末が、そのフレームを受信した際に受信確認フレーム（ＡＣＫフレーム）を返信応答することを設定させるものである。これにより、例えばＡＰ１０１が、ＳＴＡ１０２との間で確認応答設定を行った場合、ＳＴＡ１０２がブロードキャスト・マルチキャストフレームを受信した場合には受信確認フレーム（ＡＣＫフレーム）を返信応答し、もしこの受信確認フレームをＡＰ１０１が受信しなかった場合にはＡＰ１０１が同一フレームをＳＴＡ１０２に再送するようにしたものである。もちろんＡＰ１０１とＳＴＡ１０２との間で確認応答設定を行なわれていない場合には、ＳＴＡ１０２がブロードキャスト・マルチキャストフレームを受信したとしても通常どおり受信確認フレーム（ＡＣＫフレーム）は返信しない。
【００２０】
尚、この確認応答プログラムでは、ブロードキャスト（ＢＣ）・マルチキャストフレーム（ＭＣ）を送信する側の端末、例えばＡＰ１０１が、確認応答設定を実行する一つの受信端末を対象ＳＴＡとして設定し、その対象ＳＴＡとの間で確認応答処理を実行する。
【００２１】
次に上記のように構成された第一の実施形態の無線通信システムにおける確認応答設定の動作について説明する。
図５は、確認応答設定プログラムの動作を説明するシーケンス図である。
例えばＡＰ１０１がブロードキャスト・マルチキャストフレームを送信する端末とし、ＳＴＡ１０２が対象ＳＴＡとして選択された場合とする。ＡＰ１０１（ＢＣ／ＭＣ送信端末）は、ユニキャストフレームを用いて対象ＳＴＡ（ＳＴＡ１０２）に対して確認応答設定通知を行い、ＳＴＡ１０２よりのフレーム受信確認をした段階で設定が完了したと見なす。逆に確認応答設定を解除する際には確認応答設定解除通知を行い、このフレームが受信されたのを確認した段階で設定解除が完了したと見なす。ＡＰ１０１およびＳＴＡ１０２では、相互に確認応答設定がされていることを内部メモリ３０９，３２１に設定記憶する。
【００２２】
尚、ＡＰ１０１は、ブロードキャスト・マルチキャストフレーム伝送に先行して、確認応答設定プログラムに基づく受信確認シーケンスを実行するための対象ＳＴＡを無線伝送路の品質を示す無線伝送路情報を基に決定している。ＢＳＳ内の各ＳＴＡ１０２，１０３，１０４に関する無線伝送路情報は、再送処理制御部３０５による再送回数や上位層３１２のソフトウェアにて実行する再送回数を基とした情報、或いは電波受信強度測定部３０４における電波受信強度情報等がある。これらの情報は各ＳＴＡ１０２〜１０４とのユニキャストフレーム送受信により得られる。例えば図６に示したような情報が得られる。これは一般的な無線ＬＡＮ（ＩＥＥＥ８０２．１１ａ／ｇ）モジュールで送信電力が１４ｄｂｍを基準にした場合であり、この例ではＳＴＡ１０４が最も電波強度の弱いため対象ＳＴＡとして決定される。もちろんすべてのＳＴＡ１０２，１０３，１０４の電波強度が良好、例えば−４０ｄｂｍ以上の場合には、対象ＳＴＡが選択されない。
【００２３】
また、全てのＳＴＡ１０２〜１０４の電波強度が良好と判断された場合でも、上位層３１２により、特定のアプリケーション（例えば映像ストリーム配信等のリアルタイム性が求められるものや、フレーム損失許容範囲の厳しいもの）を使用している場合には、良好の中でも最も受信電波強度の低いＳＴＡを対象ＳＴＡとして強制的に選択する。従って、上位層により特定のアプリケーションが使用されておらず、かつ各ＳＴＡにおける受信電波強度が全て良好な場合には対象ＳＴＡは選択されない。
【００２４】
次に本発明の第一の実施形態である無線通信システムの動作について説明する。
図７は、ＡＰ１０１におけるフレームシーケンスのフローチャート図である。ＡＰ１０１は、ブロードキャスト・マルチキャストフレーム送信要求が生じると（ステップ１）、各ＳＴＡに対してユニキャストフレームを順次送信し、図６に示したような無線伝送路情報を取得する（ステップ２）。次にこの無線伝送路情報における各ＳＴＡ１０２〜１０４の受信電波強度が良好か否かを判断し（ステップ３）、良好でない例えば−４０ｄｂｍに達しないＳＴＡがあった場合には最も受信電波強度の弱いＳＴＡを一つだけ対象ＳＴＡとして選択する（ステップ５）。ステップ３にて、全てＳＴＡ１０２〜１０４の受信電波強度が良好と判断された場合には、上位層３１２よりの特定アプリケーションか否かを判断し（ステップ４）、特定アプリケーションでないと判断した場合には通常のＭＣ／ＢＣフレーム送信を実行する（ステップ６）。ステップ４にて特定アプリケーションであると判断されると、ステップ５へ進み、最も受信電波強度の弱いＳＴＡを一つだけ対象ＳＴＡとして選択する。対象ＳＴＡが選択されると、ＡＰ１０１と対象ＳＴＡとの間で、図５に示した確認応答設定シーケンスに基づいて確認応答設定を実行する（ステップ７）。設定を確認後、ブロードキャスト・マルチキャストフレーム送信を実行し（ステップ８）、対象ＳＴＡよりの受信確認フレームを受信したか否かを確認し（ステップ９）、確認できた場合は終了する。ステップ９にて対象ＳＴＡとの受信確認ができなかった場合には予め定めた再送回数と比較し（ステップ１０）、所定回数以内であれば再送処理を実行する（ステップ１１）。ステップ１０にて所定回数を超過する場合には再送処理を行わずに処理を終了させる。
【００２５】
図８は、ブロードキャスト・マルチキャストフレームを受信したＳＴＡ１０２〜１０４の動作を示すフローチャート図である。
ＳＴＡは、ブロードキャスト・マルチキャストフレームを受信すると、確認応答設定の有無を確認（ステップ５０１）し、未設定の場合、受信フレームが重複しているかを確認（ステップ５０２）し、重複していれはフレーム破棄（ステップ５０３）、重複していなければフレーム受信処理（ステップ５０５）を実行する。重複の判断は後述するフレームフォーマット（図９）中のシーケンスコントロール（Sequence Control）フィールドを確認することで行う。ステップ５０１にて、確認応答設定した対象ＳＴＡにおいてはフレーム正常受信に対し確認応答フレームの送信を送信元（ＡＰ１０１）に行い（ステップ５０４）、フレーム受信処理を行う（ステップ５０５）。
【００２６】
尚、ＡＰ１０１は確認応答シーケンスによる確認応答設定・解除はいつでも行うことができ、確認応答シーケンスを実行中においても、所定のタイミングで無線伝送路情報を更新して無線伝送路状況の変化に伴い対象STAを変更することが可能である。この設定・解除の判断はＡＰ無線機能において行ってもよいし、上位層３１２により、特定のアプリケーションの使用に合わせて行うこともできる。
【００２７】
以上は図１のインフラモードの無線ネットワークにおける実施形態で説明したが、次に図２のアドホックモードの無線ネットワークについても同様であり、ＡＰ１０１に代わってＳＴＡ２０１，２０２，２０３のいすれかがブロードキャスト・マルチキャストフレームを送信し、他の端末がその受信端末となる。このようなアドホックモードによる無線ネットワークでは、複数のＳＴＡがブロードキャスト・マルチキャストフレーム送信を同時に行う事が想定される。
【００２８】
例えばＳＴＡ２０１がＳＴＡ２０３に対し確認応答設定を行いブロードキャスト・マルチキャストフレーム送信を開始し、ほぼ同時にＳＴＡ２０２がブロードキャスト・マルチキャストフレーム送信を行う場合、ＳＴＡ２０１とＳＴＡ２０３との間で確認応答設定がされていれば、ＳＴＡ２０３はＳＴＡ２０２からのフレームには従来通り確認応答せず、ＳＴＡ２０１からのフレームに対してのみ確認応答する。
【００２９】
図９は無線伝送で使用するフレームフォーマットの一例を示したもので、ＦＣ７０１はフレーム・コントロールフィールドであり、プロトコルバージョン、フレームタイプ等、フレーム自体に関する情報が格納されている。ＤＡ７０２は送信先アドレス、ＳＡ７０３は送信元アドレス、ＢＳＳＩＤ７０４はＩＢＳＳを示すＩＤ情報を格納するフィールドである。シーケンスコントロール（Sequence Control）７０５は送信フレームに振られるシーケンス番号であり、ペイロード（Payload）７０６は実際のデータが格納される可変長フィールドである。ＦＣＳ７０７はフレーム全体の誤り検出を行うための符合を格納するフィールドである。
【００３０】
ＳＴＡ２０３においてはＳＡ７０３によりフレームの送信元を確認でき、これに基づき確認応答設定の有無を判断し、受信確認フレーム返信の要否を判断することができる。
【００３１】
以上説明したように、本発明の第一の実施形態である無線通信システムによれば、確認応答設定プログラムにより、ブロードキャスト（ＢＣ）・マルチキャストフレーム（ＭＣ）を送信する側の端末（図１の無線ネットワークではＡＰ１０１、図２の無線ネットワークではＳＴＡ２０１，２０２，２０３のいずれか）が、ブロードキャスト・マルチキャストフレームを受信する端末との間で、ブロードキャスト・マルチキャストフレームを受信した端末が、そのフレームを受信した際に受信確認フレーム（ＡＣＫフレーム）を返信応答することを設定させるようにし、かつその設定対象ＳＴＡを、受信電波強度の最も弱いＳＴＡを一つ選択して設定し、その対象端末との間での受信確認のみを実行してＭＣ／ＢＣ送信を実行するようにしたので、無駄な再送信を省きながら全てのＳＴＡに対するＭＣ／ＢＣフレームの受信の可能性を極めて高くすることができる。
【００３２】
また、ＳＴＡの受信電波強度が良好な場合でも、特定のアプリケーションを使用している場合には対象ＳＴＡを選択し、確認応答設定をさせるようにしたので、特定アプリケーション使用時には受信確立を高めた優先度設定が可能となる。
【００３３】
尚、第一の実施形態では、対象ＳＴＡの選定条件として受信電波強度が良好か否か、および特定アプリケーションを使用しているか否かで判断しているが、どちらかいずれかで判断しても良く、また、受信電波強度に代えてフレームエラーレートにより対象ＳＴＡを選定するようにしても良い。また、ブロードキャスト・マルチキャストフレーム送信要求が生じた場合に各ＳＴＡに対してユニキャストフレームを順次送信して図６に示したような無線伝送路情報を取得するようにしているが、その都度取得するのでなく、各ＳＴＡとの過去のユニキャストによるデータ送受信の情報を無線伝送路情報としても良いことは言うまでもない。
【図面の簡単な説明】
【００３４】
【図１】本発明に係わる無線ネットワークの一形態であるインフラモードの例を示す図である。
【図２】本発明に係わる無線ネットワークの別形態であるアドホックモードの例を示す図である。
【図３】本発明の第一の実施形態である無線通信システムのアクセスポイントの機能ブロック図である。
【図４】本発明の第一の実施形態である無線通信システムのステーションの機能ブロック図である。
【図５】本発明の第一の実施形態における確認応答設定プログラムの動作を説明するシーケンス図である。
【図６】本発明の第一の実施形態におけるＢＳＳ内、或いはＩＢＳＳ内の無線伝送路情報を示す図である。
【図７】本発明の第一の実施形態のアクセスポイントにおけるフレームシーケンスのフローチャート図である。
【図８】本発明の第一の実施形態のステーションにおけるフレームシーケンスのフローチャート図である。
【図９】本発明の第一の実施形態における無線伝送で使用するフレームフォーマットの一例を示した図である。
【符号の説明】
【００３５】
１・・・ＡＰ（アクセスポイント）、１ａ・・・端末、５・・・ＢＳＡ（基本サービスエリア）、６・・・無線通信制御装置、７・・・無線アンテナ、８・・・ＲＦ部、９・・・ベースバンド処理部、１０・・・ＣＰＵ、１１・・・電力測定部、１２・・・制御演算部、１３・・・統計データテーブル。
【図１】
2006014103.tif 000003
【図２】
2006014103.tif 000004
【図３】
2006014103.tif 000005
【図４】
2006014103.tif 000006
【図５】
2006014103.tif 000007
【図６】
2006014103.tif 000008
【図７】
2006014103.tif 000009
【図８】
2006014103.tif 000010
【図９】
2006014103.tif 000011